【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
互いに同心的に配置されかつ相対回転する内輪及び外輪を含み、一方の輪が固定され、回転する他方の輪がクラッチ装置の回転部材に当接するようになっているクラッチレリーズ軸受と、ガイド軸上に摺動自在に嵌合された円筒部と、フランジ部とを備える樹脂製の軸受保持部材と、該軸受保持部材に対して、該クラッチレリーズ軸受の該一方の輪を半径方向に移動可能となるよう保持する連結部材とからなっているクラッチレリーズ軸受装置において、前記軸受保持部材と入力部材とを連結するワイヤ部材が設けられ、前記ワイヤ部材は、前記軸受保持部材に設けられた支持部により、前記入力部材に対して近接する方向及び前記クラッチレリーズ軸受の半径方向の少なくとも一方の方向に対して固定支持されるが、前記支持部と前記ワイヤ部材とは前記ワイヤ部材に沿った方向には相対移動可能となっていることを特徴とするクラッチレリーズ軸受装置。
【請求項２】
互いに同心的に配置されかつ相対回転する内輪及び外輪を含み、一方の輪が固定され、回転する他方の輪がクラッチ装置の回転部材に当接するようになっているクラッチレリーズ軸受と、ガイド軸上に摺動自在に嵌合された円筒部と、フランジ部とを備える樹脂製の軸受保持部材と、該軸受保持部材に対して、該クラッチレリーズ軸受の該一方の輪を半径方向に移動可能となるよう保持する連結部材とからなっているクラッチレリーズ軸受装置において、前記軸受保持部材に一方の側を組み付け、入力部材に他方の側を組み付けたワイヤ部材を有し、前記軸受保持部材は、前記ワイヤ部材の一方の側が組み付けられたとき、前記ワイヤ部材の軸線に直交する断面において１８０度以上にわたって前記ワイヤ部材の外周面に係合する係合凹部を有し、組付前の前記係合凹部の内径は前記ワイヤ部材の外径より小さくなっており、更に、前記ワイヤ部材の他方の側が、前記係合凹部に対して相対回転することを抑制する係止手段が設けられていることを特徴とするクラッチレリーズ軸受装置。
【手続補正２】
【補正対象書類名】明細書
【補正対象項目名】０００９
【補正方法】変更
【補正の内容】
【０００９】
第２の本発明のクラッチレリーズ軸受装置は、互いに同心的に配置されかつ相対回転する内輪及び外輪を含み、一方の輪が固定され、回転する他方の輪がクラッチ装置の回転部材に当接するようになっているクラッチレリーズ軸受と、ガイド軸上に摺動自在に嵌合された円筒部と、フランジ部とを備える樹脂製の軸受保持部材と、該軸受保持部材に対して、該クラッチレリーズ軸受の該一方の輪を半径方向に移動可能となるよう保持する連結部材とからなっているクラッチレリーズ軸受装置において、前記軸受保持部材に一方の側を組み付け、入力部材に他方の側を組み付けたワイヤ部材を有し、前記軸受保持部材は、前記ワイヤ部材の一方の側が組み付けられたとき、前記ワイヤ部材の軸線に直交する断面において１８０度以上にわたって前記ワイヤ部材の外周面に係合する係合凹部を有し、組付前の前記係合凹部の内径は前記ワイヤ部材の外径より小さくなっており、更に、前記ワイヤ部材の他方の側が、前記係合凹部に対して相対回転することを抑制する係止手段が設けられていることを特徴とする。
【手続補正３】
【補正対象書類名】明細書
【補正対象項目名】００１１
【補正方法】変更
【補正の内容】
【００１１】
第２の本発明のクラッチレリーズ軸受装置において、前記軸受保持部材に一方の側を組み付け、入力部材に他方の側を組み付けたワイヤ部材を有し、前記軸受保持部材は、前記ワイヤ部材の一方の側が組み付けられたとき、前記ワイヤ部材の軸線に直交する断面において１８０度以上にわたって前記ワイヤ部材の外周面に係合する係合凹部を有し、組付前の前記係合凹部の内径は前記ワイヤ部材の外径より小さくなっているので、前記ワイヤ部材を前記係合凹部に組み付ければ、前記係合凹部の弾性変形により生じた弾性力で前記ワイヤ部材を保持でき、それにより前記ワイヤ部材の支持の確保と組付性の向上とを図ることができ、更に、前記ワイヤ部材の他方の側が、前記係合凹部に対して相対回転することを抑制する係止手段が設けられているので、前記入力部材の組付性の向上を図ることができる。このようなワイヤ部材は、一般的な入力部材であるレリーズフォークの二股を、それぞれ前記軸受保持部材に取り付けるべく一対設けられていると、長い単一のワイヤ部材を用いるよりも必要な線長が短縮され低コストを図れる。又、一対のワイヤ部材が同じ形状を有していれば、更に低コストが図れる。
【手続補正４】
【補正対象書類名】明細書
【補正対象項目名】００１３
【補正方法】変更
【補正の内容】
【００１３】
図２において、クラッチレリーズ軸受装置は、クラッチレリーズ軸受１０と、軸受保持部材であるガイドスリーブ２０と、連結部材であるばね部材３０と、補強部材４０と、ワイヤ部材５０とからなる。クラッチレリーズ軸受１０は、左方端に当接部１１ａを有する略円管状の内輪１１と、内輪１１を同心的に内包する短い円管状の外輪１２と、内輪１１と外輪１２との間に転動自在に配置された複数のボール１５と、ボール１５を所定間隔で保持する保持器１６と、ボール１５の軸線方向両側で内輪１１と外輪１２とにより画成される空間を防塵油密的に密封するシール１７、１８とからなる。内輪１１は外輪１２に対して回転自在に支持されている。また内輪１１の当接部１１ａは、半径方向外方にめくれたような形状をしており、図示しないクラッチカバーのダイヤフラムスプリングに当接するようになっている。また、内輪１１の当接部１１ａと反対側の端部はプレスによるブランク加工のままとし、切削加工を行わず製作コストを安くするようにしている。
【手続補正５】
【補正対象書類名】明細書
【補正対象項目名】００１４
【補正方法】変更
【補正の内容】
【００１４】
一方、ガイドスリーブ２０は樹脂製であって、円管状の本体２１と、本体２１の中央近傍の外周から半径方向に延在するフランジ部２２と、フランジ部２２の半径方向外方端において軸線方向左方に突出する外壁部２３と、フランジ部２２の半径方向外方端において、図２で軸線方向右方に突出するガイド部２５（図１）とからなる。本体２１の内方には図示しないガイド軸が延在しており、本体２１はガイド軸上を摺動自在となっている。なお、本体２１の内方には拡径部２４が設けられている。この拡径部２４は、本体２１がガイド軸上を摺動する際に異物を噛みこまないように機能するものである。外壁部２３は、クラッチレリーズ軸受１０の外方に設けられ、その半径方向の移動制限部となっている。また、クラッチレリーズ軸受１０を半径方向に移動可能とするため、外輪１２の外周と外壁部２３の内周との間には隙間２７が形成されている。ガイド部２５はばね部材３０の組付時にガイドの機能を有するものであり、ばね部材３０の両わきを軸線方向に延在している。また、外輪１２は、板材をプレスすることによって形成されているが、ＪＩＳ規格のＳＵＪ２を素材として旋削し、その後焼き入れすることによって形成しても良い。
【手続補正６】
【補正対象書類名】明細書
【補正対象項目名】００１７
【補正方法】変更
【補正の内容】
【００１７】
図１より明らかなように、同一形状のものが２つ設けられたばね部材３０は、クラッチレリーズ軸受１０をガイドスリーブ２０に対して取り付ける機能を有する。図５は、ばね部材３０の斜視図である。ばね部材３０は、一枚のＳＫ５等のばね鋼板をプレスで打ち抜いた後折り曲げその後焼入処理することによって形成されている。ばね部材３０は、ガイドスリーブ２０のフランジ部２２に当接するベース部３１と、軸受の外輪１２に当接する押圧部３２と、ベース部３１と押圧部３２との間に設けられ、押圧部３２に外輪１２を付勢するための弾性力を付与する梁部３３とからなっている。なお、押圧部３２はシール１７に接触しないように、またばね部材３０の組付を容易にすべく、軸線方向外方に傾斜した傾斜部３２ａを有する。
【手続補正７】
【補正対象書類名】明細書
【補正対象項目名】００２４
【補正方法】変更
【補正の内容】
【００２４】
図７に示すように、本実施の形態のワイヤ部材１５０は、レリーズフォークＲＦ（図２参照）の二股に対して、それぞれ組付けを行うべく、２つ設けられている。まずガイドスリーブ１２０の異なる点を説明すると、上述した実施の形態に対し、図７に示すように、係合凹部１２３ｂの中央が奥におい込まれた形状、すなわちガイド凹部１２３ｄとなっている。それ以外の点は、上述した実施の形態と同様である。
【手続補正８】
【補正対象書類名】明細書
【補正対象項目名】００３６
【補正方法】変更
【補正の内容】
【００３６】
第２の本発明のクラッチレリーズ軸受装置において、前記軸受保持部材に一方の側を組み付け、入力部材に他方の側を組み付けたワイヤ部材を有し、前記軸受保持部材は、前記ワイヤ部材の一方の側が組み付けられたとき、前記ワイヤ部材の軸線に直交する断面において１８０度以上にわたって前記ワイヤ部材の外周面に係合する係合凹部を有し、組付前の前記係合凹部の内径は前記ワイヤ部材の外径より小さくなっているので、前記ワイヤ部材を前記係合凹部に組み付ければ、前記係合凹部の弾性変形により生じた弾性力で前記ワイヤ部材を保持でき、それにより前記ワイヤ部材の支持の確保と組付性の向上とを図ることができ、更に、前記ワイヤ部材の他方の側が、前記係合凹部に対して相対回転することを抑制する係止手段が設けられているので、前記入力部材の組付性の向上を図ることができる。
【手続補正９】
【補正対象書類名】図面
【補正対象項目名】図２
【補正方法】変更
【補正の内容】
【図２】
2003336661.tif 000001
【手続補正１０】
【補正対象書類名】図面
【補正対象項目名】図５
【補正方法】変更
【補正の内容】
【図５】
2003336661.tif 000002
【手続補正１１】
【補正対象書類名】図面
【補正対象項目名】図９
【補正方法】変更
【補正の内容】
【図９】
2003336661.tif 000003